(57)【特許請求の範囲】
【請求項１】
ベッド毎に設置されて看護師を呼び出して通話する機能を備えたベッド子機、及び病室毎に設置されて看護師を呼び出して通話する機能を備えた病室子機の何れかから成るナースコール子機と、ナースステーションに設置されて前記ナースコール子機からの呼び出しを報音し、応答する機能を備えたナースコール親機とを有するナースコールシステムであって、
前記ナースコール親機は、前記ナースコール子機から呼び出しが成されたら、病室に設置されているナースコール子機が備える子機スピーカを使用して呼び出しを報音する呼出制御部と、
前記子機スピーカを使用して呼出報音を行う／行わないが前記ナースコール子機毎に設定された呼出テーブルを記憶する呼出テーブル記憶部と、
前記ナースコール子機と患者との関係が登録された子機・患者記憶部と、
患者と看護師チームとの関係が登録された患者・看護師チーム記憶部とを有し、
前記呼出制御部は、呼出操作をした前記ナースコール子機が前記子機スピーカを使用しない設定であれば、前記ナースコール親機のみで呼び出しを報音し、
前記子機スピーカを使用する設定であれば、前記ナースコール親機の呼出報音に加えて前記子機・患者記憶部、及び患者・看護師チーム記憶部を参照して呼出元のナースコール子機に関連付けられている看護師チームを読み取り、更にその看護師チームが担当している患者に関連付けられているナースコール子機を検索し、検索した全てのナースコール子機の子機スピーカを使用して呼出報音を行うことを特徴とするナースコールシステム。
【請求項２】
前記ナースコール親機は、前記ナースコール子機と患者氏名と病室との関連付けを記憶する患者情報記憶部と、患者氏名、病室番号等を音声合成する音声合成部を有し、
前記呼出制御部は、呼出操作をした前記ナースコール子機が前記子機スピーカを使用する設定である場合は、呼出元のナースコール子機に関連する患者氏名、病室番号等を前記患者情報記憶部から読み出して音声化し、前記ナースコール親機及び前記子機スピーカのうち少なくともナースコール親機から音声による報音を行うことを特徴とする請求項１記載のナースコールシステム。
【請求項３】
前記ナースコール親機は、患者の看護順位をランク付けした看護度ランクを記憶する看護度ランク記憶部を有し、
前記呼出制御部は、前記患者の看護度ランクが所定のランク以上の場合に、前記呼出テーブルにおける設定を前記子機スピーカを使用する呼び出しとすることを特徴とする請求項２記載のナースコールシステム。
【請求項４】
前記呼出制御部は、呼出報音が前記子機スピーカを使用する形態であっても、特定の時間帯では前記子機スピーカを使わない呼出形態に変更することを特徴とする請求項１乃至３の何れかに記載のナースコールシステム。
【発明の詳細な説明】
【技術分野】
【０００１】
本発明は、入院患者が看護師を呼び出すためのナースコールシステムに関し、詳しくはナースステーションに看護師がいない場合でも、看護師に患者からの呼び出しを通知できるナースコールシステムに関する。
【背景技術】
【０００２】
従来から、患者からの呼び出しに応答するためのナースコール親機が設置されたナースステーションに看護師が不在でも、ナースコール子機からの呼び出しに対して応答を可能としたナースコールシステムがあった。
例えば、看護師にハンディーナースと称する携帯型親機を携行させることで、患者からの呼び出しを看護師に直接通知するよう構成し、看護師がナースステーションに居なくても応答することを可能とした（例えば、特許文献１参照）。
【先行技術文献】
【特許文献】
【０００３】
【特許文献１】特開２００５−２４４４９６号公報
【発明の概要】
【発明が解決しようとする課題】
【０００４】
しかしながら、上記携帯型親機を備えた従来のナースコールシステムは、呼び出しの報音を認識した看護師は、携帯型親機を取り出して応答操作しなければならないため、操作が面倒であったし、両手が塞がってる場合は呼び出しの確認もできなかった。また、携帯型親機を備えたナースコールシステムはコスト高となるため、小規模の病院では普及が進んでいなかった。
一方で、重症患者からの呼び出しに対しては速やかな対応が必要であり、患者からの呼び出しにスムーズ対応できる安価なシステムが望まれていた。
【０００５】
そこで、本発明はこのような問題点に鑑み、看護師がナースステーションに居なくても、また看護師が携帯型親機を携行しなくても患者からの呼び出しに対応することができるナースコールシステムを提供することを目的としている。
【課題を解決するための手段】
【０００６】
上記課題を解決する為に、請求項１の発明は、ベッド毎に設置されて看護師を呼び出して通話する機能を備えたベッド子機、及び病室毎に設置されて看護師を呼び出して通話する機能を備えた病室子機の何れかから成るナースコール子機と、ナースステーションに設置されて前記ナースコール子機からの呼び出しを報音し、応答する機能を備えたナースコール親機とを有するナースコールシステムであって、
前記ナースコール親機は、前記ナースコール子機から呼び出しが成されたら、病室に設置されているナースコール子機が備える子機スピーカを使用して呼び出しを報音する呼出制御部と、
前記子機スピーカを使用して呼出報音を行う／行わないが前記ナースコール子機毎に設定された呼出テーブルを記憶する呼出テーブル記憶部と、
前記ナースコール子機と患者との関係が登録された子機・患者記憶部と、
患者と看護師チームとの関係が登録された患者・看護師チーム記憶部とを有し、
前記呼出制御部は、呼出操作をした前記ナースコール子機が前記子機スピーカを使用しない設定であれば、前記ナースコール親機のみで呼び出しを報音し、
前記子機スピーカを使用する設定であれば、前記ナースコール親機の呼出報音に加えて前記子機・患者記憶部、及び患者・看護師チーム記憶部を参照して呼出元のナースコール子機に関連付けられている看護師チームを読み取り、更にその看護師チームが担当している患者に関連付けられているナースコール子機を検索し、検索した全てのナースコール子機の子機スピーカを使用して呼出報音を行うことを特徴とする。
この構成によれば、子機スピーカを使用して呼び出しを報音する設定のナースコール子機からの呼び出しの場合は、病室の子機スピーカからも呼び出しが報音される。よって、重症者や自立度の低い患者等迅速な対応が要求される患者からの呼び出しに対しては、子機スピーカを使用して呼出音を鳴動させることが可能となり、看護師がナースステーションに居なくても、また携帯型親機を携行しなくても遅滞なく対応することが可能となる。
【０００７】
また、呼出操作した患者を担当している看護師に関連した子機スピーカから呼び出しが報音されるので、全ての病室の子機スピーカから報音しなくても必要且つ十分なエリアで呼び出しの報音を行うことができ、無意味な報音を実施しないで済む。
【０００８】
請求項２の発明は、請求項１に記載の構成において、ナースコール親機は、ナースコール子機と患者氏名と病室との関連付けを記憶する患者情報記憶部と、患者氏名、病室番号等を音声合成する音声合成部を有し、呼出制御部は、呼出操作をしたナースコール子機が子機スピーカを使用する設定である場合は、呼出元のナースコール子機に関連する患者氏名、病室番号等を患者情報記憶部から読み出して音声化し、ナースコール親機及び子機スピーカのうち少なくともナースコール親機から音声による報音を行うことを特徴とする。
この構成によれば、子機スピーカを使用して呼び出しを報音する場合、少なくともナースコール親機においては、患者氏名や病室番号が報音されるので、看護師は呼出元の患者情報を認識し易い。
【０００９】
請求項３の発明は、請求項２に記載の構成において、ナースコール親機は、患者の看護順位をランク付けした看護度ランクを記憶する看護度ランク記憶部を有し、呼出制御部は、患者の看護度ランクが所定のランク以上の場合に、呼出テーブルにおける設定を子機スピーカを使用する呼び出しとすることを特徴とする。
この構成によれば、患者の例えば重症度の程度に応じて子機スピーカを使用する呼び出しが自動設定されるため、患者毎に別途設定する必要が無く、看護師の負担を軽減できる。また、設定漏れが発生することもない。
【００１０】
請求項４の発明は、請求項１乃至３の何れかに記載の構成において、呼出制御部は、呼出報音が子機スピーカを使用する形態であっても、特定の時間帯では子機スピーカを使わない呼出形態に変更することを特徴とする。
この構成によれば、看護師がナースステーションに居る確率が高い夜間においては子機スピーカを使用しないので、患者の睡眠の妨げになるようなことがない。
【発明の効果】
【００１１】
本発明によれば、重症者や自立度の低い患者等迅速な対応が要求される患者からの呼び出しに対しては、子機スピーカを使用して呼出音を鳴動させることができ、看護師がナースステーションに居なくても、また携帯型親機を携行しなくても遅滞なく対応することが可能となる。
【図面の簡単な説明】
【００１２】
【図１】本発明に係るナースコールシステムの一例を示す構成図である。
【図２】本発明の要部を回路ブロック図で示した構成図である。
【図３】看護度ランクの説明図である。
【発明を実施するための形態】
【００１３】
以下、本発明を具体化した実施の形態を、図面に基づいて詳細に説明する。図１は本発明に係るナースコールシステムの構成図を示している。図１において、１ａはベッド毎に設置されて看護師を呼び出して通話するためのベッド子機、１ｂは病室毎に設置されて看護師を呼び出して通話するための病室子機、３は患者からの呼び出しを表示する廊下灯、４はナースステーションに設置されてベッド子機１或いは病室子機２からの呼び出しを受けて応答するためのナースコール親機、５は後述する医療・看護データ等の患者に関するデータが蓄積されているオーダリングシステムを示している。
尚、ベッド子機１ａ及び病室子機１ｂは、入院患者が看護師を呼び出す際に使用するナースコール子機１である。
【００１４】
ベッド子機１ａは、壁面に設置された埋込型子機１１、この埋込型子機１１に接続されてベッド上で患者が呼出操作するための呼出握りボタン１２とで構成され、埋込型子機１１には患者が看護師と通話するためのマイク（子機マイク）１３及びスピーカ（子機スピーカ）１４が組み込まれている。
病室子機１ｂは、壁面に設置されて患者が呼出操作するための呼出ボタン１６と、天井に設置されて患者が看護師と通話するための天井マイク（子機マイク）１７、天井スピーカ（子機スピーカ）１８とで構成されている。
【００１５】
ベッド子機１、及び病室子機２は病室毎に廊下灯３に接続され、廊下灯３は廊下灯幹線Ｌ１によりナースコール親機４に接続されている。また、オーダリングシステム５は伝送線Ｌ２によりナースコール親機４に接続されている。
【００１６】
図２は図１のナースコールシステムの要部を回路ブロック図で示している。ナースコール親機４は、ナースコール子機１を操作した患者と通話するための通話部４１、各種設定を行う設定部４２、後述する子機スピーカ１４，１８を使用した呼出報音を行う時間を設定する時間設定部４３、患者情報を表示するディスプレイ４４、ナースコール親機４全体を制御する親機制御部４５、廊下灯３及びオーダリングシステム５と通信を行なう親機インターフェース（親機ＩＦ）４６等を備えている。
【００１７】
そして親機制御部４５は、ＣＰＵ（親機ＣＰＵ）４５ａ、記憶部４５ｂ、音声合成部４５ｃを備えている。記憶部４５ｂは、具体的に各患者の氏名、性別、年齢、病室等が登録された患者管理データ記憶部５１、個々の患者の重症度、自立度、救護区分、医師名、看護師名、診療科目等が登録された医療・看護データ記憶部５２、患者の重症度及び自立度を基にした看護度ランクを記憶した看護度ランク記憶部５３、子機スピーカ１４，１８を使用した呼出報音を行う場合を看護度ランクとは別に登録した特別呼出登録部５４等で構成されている。
尚、このうち医療・看護データ記憶部５２は、ＣＰＵ４５ａがオーダリングシステム５から定期的に入手し、書き換えられる。
【００１８】
音声合成部４５ｃは、ナースコール子機１から呼び出しが成された場合に、患者氏名や病室番号を音声合成する。
【００１９】
廊下灯３は、ナースコール親機４、ナースコール子機１と通信を行なうインターフェース（廊下灯ＩＦ）３１、ナースコール子機１からの呼出発生を通知するための呼出表示部３２（図１に示す）が備えられており、ナースコール親機４から伝送された信号を受けてナースコール子機１と通話路を形成する。
【００２０】
このように構成されたナースコールシステムは次のように動作する。ナースコール子機１が操作されて看護師の呼び出しが成されると、ＣＰＵ４５ａは、最初に看護度ランク記憶部５３の情報を基に、子機スピーカ１４，１８を使用した呼出報音を適用するかどうかを検索する。さらに、特別呼出登録部５４において特別呼出が登録されているか検索する。
【００２１】
図３は、看護度ランク記憶部５３に登録されている看護度ランクを示している。図３において、Ｈが看護度ランクであり、医療看護データ記憶部５２の中の示す重症度・自立度データを基にＣＰＵ４５ａが判断して登録される。
ここで、Ｄ１はナースコール子機１と患者との関係が登録された子機・患者記憶部、Ｄ２は重症度・自立度データ記憶部、Ｄ３は患者と看護師チームとの関係が登録された患者・看護師チーム記憶部、Ｄ４は患者と病室の関係が登録された患者・病室記憶部であり説明のため合わせ記載している。
尚、子機・患者情報記憶部Ｄ１、患者・病室記憶部Ｄ４は、患者管理データ記憶部５１の一部であるし、重症度・自立度データ記憶部Ｄ２、患者・看護師チーム記憶部Ｄ３は、医療・看護データ記憶部５２の一部である。
【００２２】
ここでは一例として、看護度ランクＨを患者毎に「高」「中」「低」の３段階に設定しており、この看護度ランクＨ、そして別途設定された特別呼出登録部５４を参照して、子機スピーカ１４，１８を使用した呼出報音、具体的に埋込型子機１１のスピーカ１４或いは天井スピーカ１８を使用する呼出報音か判断される。そして、重症或いは自立度低の患者を看護度ランク「高」と設定し、この看護度ランク「高」の患者からの呼び出しに対して子機スピーカ１４，１８を使用した呼出報音が行われるよう閾値が設定されている。
従って、この看護度ランクの一覧が、子機スピーカ１４，１８を使用する呼出報音を行う／行わないが設定された呼出テーブルとなっている。
【００２３】
尚、この子機スピーカ１４，１８を使用して呼出報音を行う看護度ランクの閾値は、ナースコール親機４の設定部４２の所定の操作で設定或いは変更でき、例えば看護度ランク「中」，「高」の双方に対して子機スピーカ１４，１８を使用した呼出報音を実施するよう閾値は変更できる。
【００２４】
患者の看護度ランク及び特別呼出登録部５４の登録が子機スピーカ１４，１８を使用するものでない場合には、ナースコール親機４のみから呼出音が鳴動する。
例えば、図３に示す子機ＩＤ「３」のナースコール子機１から呼び出しがあった場合、ＣＰＵ４５ａは、氏名「Ｎ３」の患者からの呼び出しであることを記憶部４５から読み取り、ナースコール親機４のみによる呼び出しを実施する。また、患者管理データ記憶部５１、医療・看護データ記憶部５２から、対応する患者に関するデータを読み出して、ＰＯＰＵＰ等でディスプレイ４４に表示する。
【００２５】
この呼び出しを受けて、看護師がナースコール親機４を応答操作すると、呼出元のナースコール子機１とナースコール親機４との間で通話路が形成され、通話部４１と埋込型子機１１、或いは天井マイク１７及び天井スピーカ１８との間で通話を行うことができる。
【００２６】
患者の看護度ランク或いは特別呼出登録部５４の登録が、子機スピーカ１４，１８を使用する呼出報音を適用するものである場合には、次のように動作する。
例えば、子機ＩＤ「１」のナースコール子機１から呼び出しがあると、ＩＤ１のナースコール子機１は患者氏名「Ｎ１」の患者が呼出操作したものであるから、ＣＰＵ４５ａは看護度ランクは「高」であることを読み取り、子機スピーカ１４，１８を使用する呼出報音を実施する。
【００２７】
ＣＰＵ４５ａは、医療・看護データ記憶部５２から呼出操作した患者を担当する看護師チームが関係付けられている（在室していると想定される）病室を特定し、その病室のナースコール子機１のスピーカ１４，１８を能動状態として呼出音を鳴動させる。同時に、患者管理データ記憶部５１から患者の氏名等を特定し、音声合成部４５ｃを制御してナースコール親機４の通話部４１から呼出音と共に、患者氏名、病室番号を音声で報音する。
【００２８】
具体的に、図３から患者Ｎ１さんが重症であり、かつ、看護師チーム「１」に属していることから、ＣＰＵ４５ａは看護師チーム「１」に属している患者の居る病室を検索する。ここでは、患者自身の病室である１０１号室のほかに、１０５号室、２０４号室に看護師チーム１の患者が入院していることを認識し、ナースコール親機４から呼出音を鳴動させるだけでなく、１０５号室、２０４号室の子機スピーカ１４，１８からも呼出音を鳴動させる。そして、患者Ｎ１さんの氏名及び病室を特定し、ナースコール親機４では呼出音のほかにＮ１さんの氏名及び病室番号を音声合成により報音させる。
【００２９】
この呼び出しを受けて、ナースコール親機４から応答操作すれば、ナースコール親機４とナースコール子機１の間で通話回路が形成されて、患者と通話が可能なる。子機スピーカ１４，１８を使用した呼出報音の場合、ナースコール親機４では患者氏名や病室番号が合わせて報音されるので、看護師は速やかな対応を必要とする患者からの呼出報音であることを認識できる。
また、呼出先の病室で呼出報音を受けた看護師は、患者からの呼び出しが子機スピーカ１４，１８を使用した呼出報音であることを認識、即ち速やかな対応を必要とすることを認識できる。
【００３０】
なお、特別呼出登録部５４は、病院独自の基準で特別呼び出しを使用する場合に設定部４２の所定の操作で登録されるもので、重症者でなくても子機スピーカ１４，１８を使用した呼出報音の対象に設定できる。例えば、患者が軽症であっても病院が独自に速やかな対応を必要すると判断した患者に対して適用される。
【００３１】
また、ナースコール親機４が看護度ランクの低い通常呼び出しを受けてのナースコール子機１と通話中の時に、子機スピーカ１４，１８を使用した呼出報音が発生した場合は次のように動作する。ナースコール親機４のＣＰＵ４５ａは、通話部４１から予告音を鳴動させて通話路を切断することを予告し、一定時間経過後に引き続き通話路が形成されていたら通話路を切断する。そして、新たに発生した看護度ランク「高」の患者からの通話路を形成する。
【００３２】
更に、親機制御部４５はタイマー回路（図示せず）を備え、例えば昼間と夜間で子機スピーカ１４，１８を使用する呼出報音の設定を変更できる。この設定はナースコール親機４の時間設定部４３の操作で実施され、例えば夜間は子機スピーカ１４，１８を使用した呼出報音を停止させることができる。
【００３３】
このように、子機スピーカ１４，１８を使用して呼び出しを報音する設定のナースコール子機１からの呼び出しの場合は、関連する病室の子機スピーカ１４，１８から呼び出しが報音される。よって、重症者や自立度の低い患者等迅速な対応が要求される患者からの呼び出しに対しては、子機スピーカ１４，１８を使用して呼出音を鳴動させることができ、看護師がナースステーションに居なくても、また携帯型親機を携行しなくても遅滞なく対応することが可能となる。
また、呼出操作した患者を担当している看護師に関連した子機スピーカ１４，１８から呼び出しが報音されるので、全ての子機スピーカ１４，１８から報音しなくても必要且つ十分なエリアで呼び出しの報音を行うことができ、無意味な報音を実施しないで済む。
更に、子機スピーカ１４，１８を使用して呼び出しを報音する場合、少なくともナースコール親機４においては、患者氏名や病室番号が報音されるので、看護師は呼出元の患者情報を認識し易い。
また、患者の例えば重症度の程度に応じて子機スピーカ１４，１８を使用する呼び出しが自動設定されるため、患者毎に別途設定する必要が無く、看護師の負担を軽減できるし、設定漏れが発生することもない。
また、看護師がナースステーションに居る確率が高い夜間においては子機スピーカ１４，１８を使用しないので、患者の睡眠の妨げになるようなことがない。
【００３４】
尚、上記実施形態では、昼間の時間帯のみ子機スピーカ１４，１８を使用した呼出報音を実施し、夜間は実施しない構成としているが、重症の患者を細分化して、特に重症な患者に対しては夜間でも子機スピーカ１４，１８を使用した呼び出しを継続させても良い。
また、患者管理データ記憶部５１と医療・看護データ記憶部５２を別々のものとして記載したが、これらのデータを一体として１つのデータとして記憶しても良い。
更に、音声による呼び出しはナースコール親機４のみ実施しているが、子機スピーカ１４，１８からも音声による呼出報音を行っても良い。
【符号の説明】
【００３５】
１・・ナースコール子機、１ａ・・ベッド子機、１ｂ・・病室子機、４・・ナースコール親機、１４・・スピーカ（子機スピーカ）、１８・・天井スピーカ（子機スピーカ）、４１・・通話部、４２・・設定部、４３・・時間設定部、４５・・親機制御部、４５ａ・・ＣＰＵ（呼出制御部）、４５ｂ・・記憶部、４５ｃ・・音声合成部、５１・・患者管理データ記憶部（患者情報記憶部）、５２・・医療・看護データ記憶部、５３・・看護度ランク記憶部（呼出テーブル記憶部）、５４・・特別呼出登録部、Ｈ・・看護度ランク、Ｄ１・・子機・患者記憶部、Ｄ３・・患者・看護師チーム記憶部。
【図１】
0005460434.tif 000002
【図２】
0005460434.tif 000003
【図３】
0005460434.tif 000004